(57)【要約】      （修正有）【課題】複数本のルアーフィッシング用のロッドを、ロッド本体を保護した状態で、より多く携行するためのロッドケースを提供する。【解決手段】ルアーフィッシング用のロッド４０を収納するためのロッドケースであって、ロッドのリールシート部４３より先端方向のロッド本体部を複数本収納可能な袋状の収納部と、収納部の開口部２１ｃ近傍に連設した所定長さの固定ベルト３０とからなり、ロッド本体部以外を収納部から露出させた状態で、複数本のロッド本体部を収納部に収納し、固定ベルトをロッドに巻回して固定することにより、ロッド本体部を保護するとともに複数本のロッドを携行可能とした。【選択図】図４
0003203883.tif 000002
【実用新案登録請求の範囲】
【請求項１】
ルアーフィッシング用のロッドを収納するためのロッドケースであって、
前記ロッドのリールシート部より先端方向のロッド本体部を複数本収納可能な袋状の収納部と、該収納部の開口部近傍に連設した所定長さの固定ベルトとからなり、
ロッドのロッド本体部以外を収納部から露出させた状態で、複数本のロッド本体部を収納部に収納し、固定ベルトをロッドに巻回して固定することにより、
ロッド本体部を保護するとともに複数本のロッドを携行可能としたことを特徴とするロッドケース。
【請求項２】
収納部を、長手方向に開閉自在に形成するとともに、開口部から先端部に向けて径小に形成した請求項１記載のロッドケース。
【請求項３】
ジッパーを使用して収納部を開閉自在に形成した請求項２記載のロッドケース。
【請求項４】
収納部を衝撃吸収性素材から形成した請求項１，２又は３記載のロッドケース。
【請求項５】
衝撃吸収性素材として、クロロプレンゴムを使用した請求項４記載のロッドケース。
【請求項６】
固定ベルトを収納部の幅方向に連設した請求項１，２，３，４又は５記載のロッドケース。
【請求項７】
固定ベルトの一面に面ファスナーを装備し、ロッドへの巻回時に収納部又は固定ベルトの他面に接合して固定する請求項１，２，３，４，５又は６記載のロッドケース。
【請求項８】
ロッドのリールシート部からリールを取り外した状態のロッドを収納する請求項１，２，３，４，５，６又は７記載のロッドケース。
【請求項９】
ロッドのリールシート部にリールを装着した状態のロッドを収納する請求項１，２，３，４，５，６又は７記載のロッドケース。
【請求項１０】
ロッドの長さが異なる複数のロッドを収納する請求項１，２，３，４，５，６，７，８又は９記載のロッドケース。
【請求項１１】
２本以上１０本までのロッドを収納可能な請求項１，２，３，４，５，６，７，８，９又は１０記載のロッドケース。
【考案の詳細な説明】
【技術分野】
【０００１】
本考案は、複数本のルアーフィッシング用のロッドを、ロッド本体を保護した状態で、より多く携行するためのロッドケースに関するものである。
【背景技術】
【０００２】
レジャーフィッシングやスポーツフィッシング等のレクリエーションとしての釣りにおいては、ルアー（擬似餌）を使用したルアーフィッシングが盛んである。狙う獲物もカジキ，マグロ，カンパチ，ヒラマサ等からアジ，メバルやイカ等々の大小様々な魚であり、又海水魚から淡水魚まで生息域や生息深度も様々に異なっている。そのため、狙う獲物によって使用するルアーを選択することは勿論、使用するロッドやリールも獲物や当日の釣り環境に対応して種々選択して使用している。
【０００３】
ロッドは使用するリールに対応してスピニングリールを装着するスピニングロッド、ベイトリールを装着するベイトロッドに大別され、更に長さ，弾性，先端の調子など多種多様であり、用途によって様々なタイプが存在する。そのため、ルアーフィッシングを楽しむ場合には、用途に応じて種類の異なる複数本のロッドを準備し、その中から状況に応じて選択して使用したり、交換して使用することが多い。
【０００４】
例えば、釣り船に乗船してルアーフィッシングを楽しむ場合には、複数本のロッドを準備しておくことが多い。この場合、釣り船には他の釣り客も乗船していることが一般的であるため、他の釣り客に迷惑を掛けないように複数本のロッドをロッドケースに収納して携行している。また、釣り船に乗船しない場合や、他の釣り客がいない場合であっても、自宅から釣り場までの移動時には、公共交通機関を利用する場合は勿論、自家用車を使用する場合も、ロッドの損傷防止や取扱を容易とするために、ロッドをロッドケースに収納しておく必要がある。
【０００５】
そこで、従来より、ロッドを収納するためのロッドケースが提供されている。例えば、リールを装着した状態のロッド全体を収容することにより、搬送中のロッドの損傷を回避することのできるロッドケースとして、シート状素材を長寸の袋体状に形成するとともに、その一端に挿入口を形成して成る釣竿の収容袋において、前記挿入口から長手方向にスリットを形成することにより、リールを装着した状態のロッド全体を収容できるように構成したロッドケースが提供されている（特許文献１）。
【０００６】
また、状況に応じて、ロッドとともに釣り用小物の出し入れを行い易くするために、ロッドを収容可能なロッド収容槽を有するロッドケース本体と、釣り用小物を収容可能なポケットとを備え、前記ロッド収容槽内には、前記ポケットの着脱可能なポケット取付部が複数部位に渡って設けられてなるロッドケースも提供されている（特許文献２）。
【先行技術文献】
【特許文献】
【０００７】
【特許文献１】特開２００２−１７１８８８号公報
【特許文献２】特開２００２−１７２２４号公報
【考案の概要】
【考案が解決しようとする課題】
【０００８】
しかしながら、前記特許文献１に示すロッドケースは、スリットからロッドを露出させることにより、リールを装着したままのロッド全体を収納することを目的としており、ロッドの収納・取出に時間がかかり煩瑣となり、釣りの楽しみを阻害することともなる。また、ロッドの径大のリールシート部等を収納する構成であるため、複数本のロッドを収納することが困難であり、必要とする本数のロッドを携行することに適していない。
【０００９】
特許文献２に示すロッドケースは、ロッドを１本毎にハードケースからなるロッド収容槽に収容する構成のため、複数本のロッドを携行することに適していない。また、携行時等に収容槽内でロッドが揺動するため、ロッド先端が破損するおそれもある。
【００１０】
ルアーフィッシングを楽しむためには必要とする本数、例えば１０本程度のロッドを収納・取出が容易に、又収納・取出時は勿論のこと、携行時にロッドを損傷することなく、更には長短長さの異なるロッドであっても、リールの装着の有無にかかわらず持ち運べるロッドケースの提供が新たな課題となっている。特許文献１，２に示すロッドケースをはじめとして、これまで上記した課題を解決したロッドケースは提供されていない。
【００１１】
そこで、本考案は上記した課題を解決するために、複数本のロッド本体を保護した状態で、より多く携行するためのロッドケースを提供することを目的とする。
【課題を解決するための手段】
【００１２】
ルアーフィッシング用のロッドは、大別して先端部（トップ），中間部（ベリー），基端部（バット）からなるロッド本体部と、ロッド本体部に付設されたリング状のガイドと、ロッド本体部に連設されたリールシート部及びエンド部から構成されている。このなかで、ロッド本体部は軸径も細く、破損しやすく、特に先端部はルアーの操作や感度を決定づけるため、繊細なセッティングが施されており、携行時にロッドケース内で破損しやすく、又セッティングが狂うことが多い。同様にガイドも破損しやすい部材であるため、携行時等には保護する必要がある。
【００１３】
一方、ロッド中でもリールシート部やエンド部は、ロッド本体部に比べて径大であって高強度のため破損することが少なく、携行時にロッドケースで保護する必要性がロッド本体部に比べて少ない。そこで、本考案は前記した課題を解決するために、新たな着想としてロッドを保護する必要性の高い部分とそうでない部分に分けて捉え、ロッドのリールシート部より先端方向のロッド本体部のみを保護するロッドケースを提供することによって前記課題を解決した。
【００１４】
即ち、本考案は上記目的を達成するために、ルアーフィッシング用のロッドを収納するためのロッドケースであって、前記ロッドのリールシート部より先端方向のロッド本体部を複数本収納可能な袋状の収納部と、該収納部の開口部近傍に連設した所定長さの固定ベルトとからなり、ロッドのロッド本体部以外を収納部から露出させた状態で、複数本のロッド本体部を収納部に収納し、固定ベルトをロッドに巻回して固定することにより、ロッド本体部を保護するとともに複数本のロッドを携行可能としたロッドケースを基本として提供する。
【００１５】
そして、収納部を、長手方向に開閉自在に形成するとともに、開口部から先端部に向けて径小に形成した構成、ジッパーを使用して収納部を開閉自在に形成した構成、収納部を衝撃吸収性素材から形成した構成、及び衝撃吸収性素材として、クロロプレンゴムを使用した構成を提供する。
【００１６】
また、固定ベルトを収納部の幅方向に連設した構成、固定ベルトの一面に面ファスナーを装備し、ロッドへの巻回時に収納部又は固定ベルトの他面に接合して固定する構成、ロッドのリールシート部からリールを取り外した状態のロッドを収納する構成を提供する。
【００１７】
更に、ロッドのリールシート部にリールを装着した状態のロッドを収納する構成、ロッドの長さが異なる複数のロッドを収納する構成、及び２本以上１０本までのロッドを収納可能な構成を提供する。
【考案の効果】
【００１８】
以上記載した本考案によれば、新たな着想としてロッドを保護する必要性の高い部分とそうでない部分に分けて捉え、ロッドのリールシート部より先端方向のロッド本体部のみを収納部に収納して保護することができるため、多種多様な複数本のロッドを安全に、嵩張ることなく容易に、携行することができる。しかも、ロッドは、固定ベルトをロッドに巻回して固定されるため、複数本のロッドを一体として収納することができ、持ちやすいため携行時にロッドがばらけたりする不都合がない。そのため、ロッド本体部を保護するとともに複数本のロッドを携行することが可能となる。具体的には、ルアーフィッシングにおいておおよその目安となる１０本程度のロッドを１つのカバーに収納して携行することが可能となる。
【００１９】
また、収納部に収納するのはリールシート部より先端方向のロッド本体部のみであるため、ロッドケースへの収納・取出が簡単であり、ルアーフィッシングの準備をストレスなく行うことができる。更に、リールシート部がロッドケースに収納されず、露出しているため、リールを装着した状態でもロッドをロッドケースに収納することが可能であり、リールを装着したまま携行することが可能となる。
【図面の簡単な説明】
【００２０】
【図１】本考案にかかるロッドケースを開いた状態を示す斜視図。
【図２】ロッドケースを閉じた状態を示す斜視図。
【図３】使用状態を示す説明図。
【図４】使用状態を示す説明図。
【図５】使用状態を示す説明図。
【図６】使用状態を示す説明図。
【考案を実施するための形態】
【００２１】
以下図面に基づいて本考案にかかるロッドケースの実施形態を説明する。図１は本考案にかかるロッドケース１０を開いた状態を示す斜視図、図２はロッドケース１０を閉じた状態を示す斜視図である。ロッドケース１０は、ルアーフィッシング用の各種のロッド４０（図３参照）を収納するためのケースであって、袋状の収納部２０と、収納部２０の開口部２１ｃの近傍に連設した所定長さの固定ベルト３０とから構成されている。
【００２２】
収納部２０は、袋体２１と袋体２１の開口部２１ｃに連設した被覆片２２からなる。袋体２１は平面視が略２等辺三角形状のシート材２１ａからなり、シート材２１ａの長手方向の開放端部に付設したジッパー２１ｂを閉じることによって全体が先細の袋状となり、一方、ジッパー２１ｂを開くことによって、シート状となる。即ち、袋体２１はジッパー２１ｂによって長手方向に開閉自在である。この袋体２１を袋状に形成したときに、開口部２１ｃから先端部に向けて先細の径小に形成される。被覆片２２は袋体２１の開口部２１ｃに連設された平面視が略台形状のシート材であり、袋体２１を袋状に形成することに伴って円弧状に曲成される。
【００２３】
そして、収納部２０の袋体２１又は被覆片２２の任意の位置に１又は複数の所定長さの固定ベルト３０を収納部２０の幅方向に向けて連設する。図示例では２本の固定ベルト３０を装備するようにした。この固定ベルト３０の開放端部の一面に面ファスナー３１を装備し、後述するロッド４０への巻回時に収納部２０又は固定ベルト３０に接合して固定することができる。
【００２４】
これらの収納部２０及び固定ベルト３０は、適宜の衝撃吸収性素材から形成されている。衝撃吸収性素材であれば、特に限定はないが、例えば適宜厚さのクロロプレンゴムを使用することが適当である。
【００２５】
図３に示すように、ロッド４０は、大別して先端部４１ａ（トップ），中間部４１ｂ（ベリー），基端部４１ｃ（バット）からなるロッド本体部４１と、ロッド本体部４１に所定間隔で付設されたリング状のガイド４２と、ロッド本体部４１に連設されたリールシート部４３及びエンド部４４から構成されている。ロッド本体部４１は軸径も径小であって、しかも先端に行くに従って更に径小となるため、破損しやすく、その中でも先端部４１ａはルアーの操作や感度を決定づけるため、繊細なセッティングが施されており、携行時に破損しやすい。上記した構成の本考案にかかるロッドケース１０を使用すれば、この先端部４１ａを中心として、複数本のロッド４０のロッド本体部４１を保護できるとともに、収納・取出が容易であって、携行時にも容易に取り扱うことができる。
【００２６】
そこで、本考案にかかるロッドケース１０を使用して複数本、具体的には２本から１０本程度、或いはそれ以上の本数のロッド４０を携行する場合を図３〜図６に基づいて説明する。先ず、図３に示すように、ジッパー２１ｂを開いて、ロッドケース１０の収納部２０を開き、収納する複数のロッド４０（図示例では４本のロッド４０）のロッド本体部４１以外を収納部２０から露出させるとともに、先端部４１ａが収納部２０の先端方向となるように、かつ、ガイド４２が外向きとなるように載置する。次に、図４に示すようにジッパー２１ｂを閉じることによって、複数本のロッド４０を収納部２０に収納する。なお、ジッパー２１ｂを閉じた状態で袋体２１に複数本のロッド４０をまとめて、或いは１本ずつ収納することも可能である。
【００２７】
その後、収納した複数本のロッド４０が一体となるように、固定ベルト３０をロッド４０に適度の締付力で巻回して、収納部２０又は固定ベルト３０に固定することにより、複数本のロッド本体部４１を収納部２０で保護するとともに携行可能な状態に収納することができる。
【００２８】
この収納時において肝要なことは、ロッド本体部４１以外、即ち、リールシート部４３より、後端方向の部分を収納部２０から露出させておくことである。これにより、保護の必要なロッド本体部４１を確実に保護することができるとともに、固定ベルト３０によって、ロッド４０を確実に固定することができる。
【００２９】
ロッドケース１０に一体として収納するロッド４０の本数は、特に限定はないが２本以上１０本程度までが、収納・取出時の取扱及び携行に便利である。また、複数本のロッド４０は相互に長さが異なるものであってよい。また、図５に示すように、ロッド４０のリールシート部からリールを取り外した状態のロッド４０を収納することもできる。また、図６に示すようにロッド４０のリールシート部４３にリール５０を装着した状態のロッドを収納するようにしてもよい。リール５０を装着した状態であっても、リール５０は収納部２０に収納されることなくロッドケース１０から突出しているため、固定ベルト３０によって、複数本のロッド４０を一体として固定することが可能である。
【産業上の利用可能性】
【００３０】
以上記載した本考案によれば、新たな着想としてロッドを保護する必要性の高い部分とそうでない部分に分けて捉え、ロッドのリールシート部より先端方向のロッド本体部のみを収納部に収納して保護することができるため、多種多様な複数本のロッドを安全に、嵩張ることなく容易に、携行することができる。しかも、ロッドは、固定ベルトをロッドに巻回して固定されるため、複数本のロッドを一体として収納することができ、持ちやすいため携行時にロッドがばらけたりする不都合がない。そのため、ロッド本体部を保護するとともに複数本のロッドを携行することが可能となる。具体的には、ルアーフィッシングにおいておおよその目安となる１０本程度のロッドを１つのカバーに収納して携行することが可能となる。
【００３１】
また、収納部に収納するのはリールシート部より先端方向のロッド本体部のみであるため、ロッドケースへの収納・取出が簡単であり、ルアーフィッシングの準備をストレスなく行うことができる。更に、リールシート部がロッドケースに収納されず、露出しているため、リールを装着した状態でもロッドをロッドケースに収納することが可能であり、リールを装着したまま携行することが可能となる。
【符号の説明】
【００３２】
１０…ロッドケース
２０…収納部
２１…袋体
２１ａ…シート材
２１ｂ…ジッパー
２１ｃ…開口部
２２…被覆片
３０…固定ベルト
３１…面ファスナー
４０…ロッド
４１…ロッド本体部
４１ａ…先端部
４１ｂ…中間部
４１ｃ…基端部
４２…ガイド
４３…リールシート部
４４…エンド部
５０…リール
【図１】
0003203883.tif 000003
【図２】
0003203883.tif 000004
【図３】
0003203883.tif 000005
【図４】
0003203883.tif 000006
【図５】
0003203883.tif 000007
【図６】
0003203883.tif 000008